(57)【特許請求の範囲】
【請求項１】
吸収性物品２とこれを個装する包装材３とからなり、該吸収性物品２の非肌当接面２２側に設けられた粘着層２３と該包装材３の内面とを剥離自在に粘着させてなり、上記包装材３の長手方向における左右両側縁部３３の一部を接着させて設けられたシール部１１により封止されている吸収性物品の包装構造１であって、
上記包装材３の長手方向における左右両側縁部３３には、左右一対の巾狭部３４が設けられており、
上記シール部１１は、上記巾狭部３４が設けられている部位以外の部位を接着して形成されており、
上記吸収性物品２及び上記包装材３は、それらの長手方向に、前方部２４，３５、中央部２５，３６及び後方部２６，３７の３つに区分されており、
上記巾狭部３４は、上記包装材３における上記後方部３７の左右両側縁部に設けられており、
上記吸収性物品２と上記包装材３とは、一体に、上記中央部２５，３６上に上記後方部２６，３７、上記前方部２４，３５の順に、折り重ねられており、
上記シール部１１は、上記包装材３における、上記前方部３５の左右両側縁部３３ａと上記中央部３６の左右両側縁部３３ｂとを接着させて形成されていることを特徴とする吸収性物品の包装構造。
【請求項２】
吸収性物品２Ｂとこれを個装する包装材３Ｂとからなり、該吸収性物品２Ｂの非肌当接面２２Ｂ側に設けられた粘着層２３Ｂと該包装材３Ｂの内面とを剥離自在に粘着させてなり、上記包装材３Ｂの長手方向における左右両側縁部３３Ｂの一部を接着させて設けられたシール部１１Ｂにより封止されている吸収性物品の包装構造１Ｂであって、
上記包装材３Ｂの長手方向における左右両側縁部３３Ｂには、左右一対の巾狭部３４Ｂが設けられており、
上記シール部１１Ｂは、上記巾狭部３４Ｂが設けられている部位以外の部位を接着して形成されており、
上記吸収性物品２Ｂ及び上記包装材３Ｂは、それらの長手方向に、前方部２４Ｂ，３５Ｂ、後方部２５Ｂ，３６Ｂ、該前方部２４Ｂ，３５Ｂよりも前方に位置する前方端部２６Ｂ，３７Ｂ及び該後方部２５Ｂ，３６Ｂよりも後方に位置する後方端部２７Ｂ，３８Ｂの４つに区分されており、
上記巾狭部３４Ｂは、上記包装材３Ｂにおける上記後方部３６Ｂ及び上記後方端部３８Ｂの左右両側縁部に設けられており、
上記吸収性物品２Ｂと上記包装材３Ｂとは、一体に、肌当接面２１Ｂに向けて、上記後方端部２７Ｂ，３８Ｂを上記後方部２５Ｂ，３６Ｂ上に折り重ね、該後方端部２７Ｂ，３８Ｂが折り重ねられた該後方部２５Ｂ，３６Ｂが上記前方部２４Ｂ，３５Ｂに折り重ねられており、更に該後方部２５Ｂ，３６Ｂが折り重ねられた該前方部２４Ｂ，３５Ｂ上に上記前方端部２６Ｂ，３７Ｂが折り重ねられており、
上記シール部１１Ｂは、上記包装材３Ｂにおける、上記前方部３５Ｂの左右両側縁部３３ａＢと上記前方端部３６Ｂの左右両側縁部３３ｂＢとを接着させて形成されていることを特徴とする吸収性物品の包装構造。
【請求項３】
吸収性物品２Ａとこれを個装する包装材３Ａとからなり、該吸収性物品２Ａの非肌当接面２２Ａ側に設けられた粘着層２３Ａと該包装材３Ａの内面とを剥離自在に粘着させてなり、上記包装材３Ａの長手方向における左右両側縁部３３Ａの一部を接着させて設けられたシール部１１Ａにより封止されている吸収性物品の包装構造１Ａであって、
上記包装材３Ａの長手方向における左右両側縁部３３Ａには、左右一対の巾狭部３４Ａが設けられており、
上記シール部１１Ａは、上記巾狭部３４Ａが設けられている部位以外の部位を接着して形成されており、
上記吸収性物品２Ａ及び上記包装材３Ａは、それらの長手方向に、前方部２４Ａ，３５Ａ、後方部２５Ａ，３６Ａ、該前方部２４Ａ，３５Ａよりも前方に位置する前方端部２６Ａ，３７Ａ、及び該後方部２５Ａ，３６Ａよりも後方に位置する後方端部２７Ａ，３８Ａの４つに区分されており、
上記巾狭部３４Ａは、上記包装材３Ａにおける上記前方端部３７Ａ及び上記後方端部３８Ａの左右両側縁部に設けられており、
上記吸収性物品２Ａと上記包装材３Ａとは、一体に、上記前方部２４Ａ，３５Ａ上に上記前方端部２６Ａ，３７Ａが折り重ねられており且つ上記後方部２５Ａ，３６Ａ上に上記後方端部２７Ａ，３８Ａが折り重ねられており、更に、該前方端部２６Ａ，３７Ａが折り重ねられた該前方部２４Ａ，３５Ａと該後方端部２７Ａ，３８Ａが折り重ねられた該後方部２５Ａ，３６Ａとが重ね合わされており、
上記シール部１１Ａは、上記包装材３Ａにおける、上記前方部３５Ａの左右両側縁部３３ａＡと上記後方部３６Ａの左右両側縁部３３ｂＡとを接着させて形成されていることを特徴とする吸収性物品の包装構造。
【請求項４】
吸収性物品２Ｃとこれを個装する包装材３Ｃとからなり、該吸収性物品２Ｃの非肌当接面側に設けられた粘着層と該包装材３Ｃの内面とを剥離自在に粘着させてなり、上記包装材３Ｃの長手方向における左右両側縁部３３Ｃの一部を接着させて設けられたシール部１１Ｃにより封止されている吸収性物品の包装構造１Ｃであって、
上記包装材３Ｃの長手方向における左右両側縁部３３Ｃには、左右一対の巾狭部３４Ｃが設けられており、
上記シール部１１Ｃは、上記巾狭部３４Ｃが設けられている部位以外の部位を接着して形成されており、
上記吸収性物品２Ｃ及び上記包装材３Ｃは、包装構造１Ｃの外周面を形成する外周面形成部２４Ｃ，３５Ｃと、内部に巻き込まれる巻き込み部２５Ｃ，３６Ｃとに区分されており、
上記巾狭部３４Ｃは、上記巻き込み部３６Ｃの左右両側縁部に設けられており、
上記吸収性物品２Ｃと上記包装材３Ｃとは、一体に、上記巻き込み部３６Ｃにおいてロール状に巻き込まれており、
上記シール部１１Ｃは、上記包装材３Ｃにおける上記外周面形成部３５Ｃの左右両側縁部３３ａＣを、それぞれ２つ折りにして接着させて形成されていることを特徴とする吸収性物品の包装構造。
【請求項５】
請求項１〜３のいずれかに記載の吸収製物品の製造方法であって、上記吸収性物品２の非肌当接面２２と上記包装材３の内面とを当接させた後、該吸収性物品２と該包装材３とを一体に且つ上記巾狭部３４が設けられている部位から順次折り畳む折り畳み工程と、
折り畳まれた包装材３における上記巾狭部３４が設けられている部位以外の部位を接着して上記シール部１１を形成するシール部形成工程とを具備することを特徴とする吸収性物品の包装構造の製造方法。
【発明の詳細な説明】
【０００１】
【発明の属する技術分野】
本発明は、吸収性物品の包装構造に関し、特に、開封が容易であり、且つ吸収性物品を衛生的に保存できる吸収性物品の包装構造に関する。
【０００２】
【従来の技術及び発明が解決しようとする課題】
吸収性物品としては、生理用ナプキン等があり、該生理用ナプキンは、通常、該ナプキンをショーツに固定し且つその使用中におけるズレを防止するための粘着層を有し、該生理用ナプキンの保存時においては、該粘着層を保護するために、剥離紙を該粘着層に粘着させている。このような生理用ナプキンにおいては、その使用に際して、剥離紙を剥離・廃棄する必要があるため、剥離紙の廃棄処分が厄介であり、また、便器に廃棄した場合には便器を詰まらせるという問題がある。
【０００３】
そこで、内面が剥離処理された包装材を用いることにより、剥離紙を用いずに生理用ナプキンの粘着層を保護する、生理用ナプキンの包装構造が提案されている。
従来、このような包装構造としては、上記包装材の長手方向に対する左右両側縁部の一部を融着させて設けられたシール部により封止されているものが、種々提案されている（例えば、実開昭５７−１６０７２１号公報、実開平５−１３０号公報、特開平６−１４９６２号公報等）。
具体的には、図１８に示すように、従来の包装構造１０１は、生理用ナプキン１０２とこれを個装する包装材１０３とからなり、該生理用ナプキン１０２の非肌当接面１２２側に設けられた粘着層１２３と該包装材１０３の内面とを剥離自在に粘着させてなり、上記包装材１０３の長手方向に対する左右両側縁部１３３を融着させて設けられたシール部１１１により封止されている。
そして、上記シール部１１は、包装材１０３の左右両側の全辺を接着させて形成されていた。
【０００４】
しかし、このような従来の包装構造１０１においては、上記シール部１１１が、包装材１０３により３層若しくはそれ以上の積層構造を有するため、前方部１３５と後方部１３６とを剥離させて開封した後、更に、前方端部１３７及び後方端部１３８を剥離させる必要があったため、開封に際して複雑な動作が要求され、取り出し容易性に劣るという問題があった。
【０００５】
従って、本発明の目的は、開封が容易で取り出し容易性に優れた吸収性物品の包装構造を提供することにある。
【０００６】
【課題を解決するための手段】
本発明者らは、上記問題を解消するために鋭意検討した結果、左右両側縁部における一部が幅狭になされた包装材を用いた包装構造が上記目的を達成しうることを知見した。
【０００７】
本発明は、上記知見に基づいてなされたものであり、吸収性物品２とこれを個装する包装材３とからなり、該吸収性物品２の非肌当接面２２側に設けられた粘着層２３と該包装材３の内面とを剥離自在に粘着させてなり、上記包装材３の長手方向における左右両側縁部３３の一部を接着させて設けられたシール部１１により封止されている吸収性物品の包装構造１であって、上記包装材３の長手方向における左右両側縁部３３には、左右一対の巾狭部３４が設けられており、上記シール部１１は、上記巾狭部３４が設けられている部位以外の部位を接着して形成されており、上記吸収性物品２及び上記包装材３は、それらの長手方向に、前方部２４，３５、中央部２５，３６及び後方部２６，３７の３つに区分されており、上記巾狭部３４は、上記包装材３における上記後方部３７の左右両側縁部に設けられており、上記吸収性物品２と上記包装材３とは、一体に、上記中央部２５，３６上に上記後方部２６，３７、上記前方部２４，３５の順に、折り重ねられており、上記シール部１１は、上記包装材３における、上記前方部３５の左右両側縁部３３ａと上記中央部３６の左右両側縁部３３ｂとを接着させて形成されていることを特徴とする吸収性物品の包装構造を提供するものである。
【０００９】
また、本発明は、吸収性物品２Ｂとこれを個装する包装材３Ｂとからなり、該吸収性物品２Ｂの非肌当接面２２Ｂ側に設けられた粘着層２３Ｂと該包装材３Ｂの内面とを剥離自在に粘着させてなり、上記包装材３Ｂの長手方向における左右両側縁部３３Ｂの一部を接着させて設けられたシール部１１Ｂにより封止されている吸収性物品の包装構造１Ｂであって、上記包装材３Ｂの長手方向における左右両側縁部３３Ｂには、左右一対の巾狭部３４Ｂが設けられており、上記シール部１１Ｂは、上記巾狭部３４Ｂが設けられている部位以外の部位を接着して形成されており、上記吸収性物品２Ｂ及び上記包装材３Ｂは、それらの長手方向に、前方部２４Ｂ，３５Ｂ、後方部２５Ｂ，３６Ｂ、該前方部２４Ｂ，３５Ｂよりも前方に位置する前方端部２６Ｂ，３７Ｂ及び該後方部２５Ｂ，３６Ｂよりも後方に位置する後方端部２７Ｂ，３８Ｂの４つに区分されており、上記巾狭部３４Ｂは、上記包装材３Ｂにおける上記後方部３６Ｂ及び上記後方端部３８Ｂの左右両側縁部に設けられており、上記吸収性物品２Ｂと上記包装材３Ｂとは、一体に、肌当接面２１Ｂに向けて、上記後方端部２７Ｂ，３８Ｂを上記後方部２５Ｂ，３６Ｂ上に折り重ね、該後方端部２７Ｂ，３８Ｂが折り重ねられた該後方部２５Ｂ，３６Ｂが上記前方部２４Ｂ，３５Ｂに折り重ねられており、更に該後方部２５Ｂ，３６Ｂが折り重ねられた該前方部２４Ｂ，３５Ｂ上に上記前方端部２６Ｂ，３７Ｂが折り重ねられており、
上記シール部１１Ｂは、上記包装材３Ｂにおける、上記前方部３５Ｂの左右両側縁部３３ａＢと上記前方端部３６Ｂの左右両側縁部３３ｂＢとを接着させて形成されていることを特徴とする吸収性物品の包装構造を提供するものである。
【００１０】
また、本発明は、吸収性物品２Ａとこれを個装する包装材３Ａとからなり、該吸収性物品２Ａの非肌当接面２２Ａ側に設けられた粘着層２３Ａと該包装材３Ａの内面とを剥離自在に粘着させてなり、上記包装材３Ａの長手方向における左右両側縁部３３Ａの一部を接着させて設けられたシール部１１Ａにより封止されている吸収性物品の包装構造１Ａであって、上記包装材３Ａの長手方向における左右両側縁部３３Ａには、左右一対の巾狭部３４Ａが設けられており、上記シール部１１Ａは、上記巾狭部３４Ａが設けられている部位以外の部位を接着して形成されており、上記吸収性物品２Ａ及び上記包装材３Ａは、それらの長手方向に、前方部２４Ａ，３５Ａ、後方部２５Ａ，３６Ａ、該前方部２４Ａ，３５Ａよりも前方に位置する前方端部２６Ａ，３７Ａ、及び該後方部２５Ａ，３６Ａよりも後方に位置する後方端部２７Ａ，３８Ａの４つに区分されており、上記巾狭部３４Ａは、上記包装材３Ａにおける上記前方端部３７Ａ及び上記後方端部３８Ａの左右両側縁部に設けられており、上記吸収性物品２Ａと上記包装材３Ａとは、一体に、上記前方部２４Ａ，３５Ａ上に上記前方端部２６Ａ，３７Ａが折り重ねられており且つ上記後方部２５Ａ，３６Ａ上に上記後方端部２７Ａ，３８Ａが折り重ねられており、更に、該前方端部２６Ａ，３７Ａが折り重ねられた該前方部２４Ａ，３５Ａと該後方端部２７Ａ，３８Ａが折り重ねられた該後方部２５Ａ，３６Ａとが重ね合わされており、上記シール部１１Ａは、上記包装材３Ａにおける、上記前方部３５Ａの左右両側縁部３３ａＡと上記後方部３６Ａの左右両側縁部３３ｂＡとを接着させて形成されていることを特徴とする吸収性物品の包装構造を提供するものである。
【００１１】
また、本発明は、吸収性物品２Ｃとこれを個装する包装材３Ｃとからなり、該吸収性物品２Ｃの非肌当接面側に設けられた粘着層と該包装材３Ｃの内面とを剥離自在に粘着させてなり、上記包装材３Ｃの長手方向における左右両側縁部３３Ｃの一部を接着させて設けられたシール部１１Ｃにより封止されている吸収性物品の包装構造１Ｃであって、上記包装材３Ｃの長手方向における左右両側縁部３３Ｃには、左右一対の巾狭部３４Ｃが設けられており、上記シール部１１Ｃは、上記巾狭部３４Ｃが設けられている部位以外の部位を接着して形成されており、上記吸収性物品２Ｃ及び上記包装材３Ｃは、包装構造１Ｃの外周面を形成する外周面形成部２４Ｃ，３５Ｃと、内部に巻き込まれる巻き込み部２５Ｃ，３６Ｃとに区分されており、上記巾狭部３４Ｃは、上記巻き込み部３６Ｃの左右両側縁部に設けられており、上記吸収性物品２Ｃと上記包装材３Ｃとは、一体に、上記巻き込み部３６Ｃにおいてロール状に巻き込まれており、上記シール部１１Ｃは、上記包装材３Ｃにおける上記外周面形成部３５Ｃの左右両側縁部３３ａＣを、それぞれ２つ折りにして接着させて形成されていることを特徴とする吸収性物品の包装構造を提供するものである。
【００１２】
また、本発明は、上記の吸収性物品の包装構造の好ましい製造方法として、上記吸収性物品２の非肌当接面２２と上記包装材３の内面とを当接させた後、該吸収性物品２と該包装材３とを一体に且つ上記巾狭部３４が設けられている部位から順次折り畳む折り畳み工程と、折り畳まれた包装材３における上記巾狭部３４が設けられている部位以外の部位を接着して上記シール部１１を形成するシール部形成工程とを具備することを特徴とする吸収性物品の包装構造の製造方法を提供するものである。
【００１３】
【発明の実施の形態】
以下、図面を参照して本発明の吸収性物品の包装構造である生理用ナプキンの包装構造の形態について詳細に説明する。
【００１４】
先ず、図１〜４を参照して、本発明の吸収性物品の包装構造の第１の形態としての生理用ナプキンの包装構造について説明する。
ここで、図１は、本発明の第１の形態の生理用ナプキンの包装構造を示す斜視図であり、図２は、図１のII-II 断面図であり、図３は、包装材上に生理用ナプキンを載置した状態を示す斜視図であり、図４は、包装材と生理用ナプキンとを一体に折り込む状態を示す斜視図である。
【００１５】
図１に示す本形態の生理用ナプキンの包装構造１は、生理用ナプキン２とこれを個装する包装材３とからなり、該生理用ナプキン２の非肌当接面２２側に設けられた粘着層２３と該包装材３の内面とを剥離自在に粘着させてなり、上記包装材３の長手方向における左右両側縁部３３の一部を接着させて設けられたシール部１１により封止されている。
【００１６】
ここで、本形態において用いられる上記生理用ナプキン２は、図２〜４に示すように、肌当接面２１が液透過性のシート材により、また、非肌当接面２２が液不透過性のシート材によりそれぞれ形成され、更に上記肌当接面２１と非肌当接面２２との間に液保持性の吸収体（図示せず）を有する、通常の生理用ナプキンである。
また、図１及び３に示すように、上記粘着層２３は、上記生理用ナプキン２の非肌当接面２２における略全域に亘って（後述する前方部２４、中央部２５及び後方部２６に亘って）設けられている。
【００１７】
上記粘着層２３は、上記非肌当接面２２上に粘着剤を塗布するか、あるいは剥離処理した包装材３に塗布した後上記非肌当接面２２上に転写する等して形成される。上記粘着層２３を形成する粘着剤としては、例えば、スチレン系ブロックポリマー、粘着付与剤及び軟化剤を主成分とし、スチレン相とゴム相との２相ブロック構造を保持しているものが用いられる。
【００１８】
上記スチレン系ブロックポリマーとしては、スチレン−エチレン−ブチレン−スチレンブロック共重合体（ＳＥＢＳ）、スチレン−イソプレン−スチレンブロック共重合体（ＳＩＳ）、スチレン−ブタジエン−スチレンブロック共重合体（ＳＢＳ）、スチレン−エチレン−プロピレン−スチレン共重合体（ＳＥＰＳ）等が挙げられる。これらのスチレン系ブロックッポリマーは、スチレン部分の分子量が、好ましくは７０００〜２００００、ゴム部分の分子量が、好ましくは３５０００〜７００００のブロック共重合体である。
【００１９】
また、上記粘着付与剤としては、軟化点が８０℃以上で、分子量が４００〜２０００であるＣ5 系石油樹脂、Ｃ9 系石油樹脂、Ｃ5 ／Ｃ9 系石油樹脂、αピネン、βピネン又はジペンテンの共重合体であるポリテルペン樹脂、ロジン系樹脂、若しくはこれらの水添物等が挙げられる。
上記軟化剤としては、軟化点が１０℃以下で平均分子量が２００〜７００のプロセスオイル、各種可塑剤、ポリブテン、液状樹脂等が挙げられる。
【００２０】
上記粘着剤としては、特に下記組成のものが好ましい。
スチレン系ブロックポリマー  １００重量部、
粘着付与剤          １５０〜２００重量部、
軟化剤                ３０〜１００重量部
【００２１】
また、上記包装材３としては、少なくともその内面における上記粘着層２３が当接する部分が剥離処理されており、剥離性を有するものであれば特に制限されないが、厚さ５〜５０μｍのポリプロピレン、ポリエステル、ポリエチレン、ポリビニルアルコール、あるいは不織布や紙、及びこれらの複合材料等の包装材料の内面を剥離処理した剥離シートが好ましく挙げられる。
本発明において、上記剥離処理を行うには、上記内面に、剥離処理剤を塗布するか、剥離テープを貼付するか又は剥離紙を貼付する等して行うことができる。剥離処理剤、剥離テープ又は剥離紙の剥離材成分としてはシリコーン樹脂系、フッソ樹脂系、又はオクタデシルイソシアネート系等のものが好ましい。特に、上記剥離処理としては、上記剥離材成分として、シリコーン樹脂系のものを用いて、塗布して加熱乾燥するか、スプレーで吹きつけ薄い被膜を形成させる等するのが好ましい。
特に、本発明において上記包装材３は、ポリエチレンやポリプロピレン等のポリオレフィン、通常のポリエステルにより形成されているのが好ましく、更には、薄い該ポリオレフィンフィルム又は該ポリエステルフィルムを剥離処理し、上記包装材料に熱あるいは超音波等により接合したものが、適度な剛性を有しており、開封し易く、また耐熱性に優れているため生産上有利である。
【００２２】
また、上記包装材３には、その一端部３１において、補助的な封止手段として再接着可能なタブテープ１２が配されている。このようにタブテープ１２を配することにより、生理用ナプキンの廃棄時の廃棄性及び保存時の密開性が向上するので、タブテープを配するのが好ましい。該タブテープ１２としては、通常公知のものを特に制限なく用いることができる。
尚、該タブテープ１２は設けなくてもよい。
また、上記包装材３には、図３及び４に示すように、その一端部３１側において補助的封止手段として、上記タブテープ１２に加えて、更に再接着可能な帯状の粘着材１３が、該包装材３の一側縁から他側縁にかけて（即ち、巾方向全域に亘って）配されている。
この様に粘着材１３を配することにより、生理用ナプキンの保存時の密閉性をより向上させることができ、より衛生的である。また、この場合には、上記タブテープ１２は、主として開封を容易にし、且つ廃棄時固定用として機能する。
上記粘着材１３は、通常の接着剤を塗工したり、通常の両面テープを貼付する等して形成することができる。尚、上記粘着材は、設けなくてもよい。
【００２３】
そして、本形態の生理用ナプキンの包装構造１においては、図１から図４に示すように、上記包装材３の長手方向における左右両側縁部３３，３３には、左右一対の巾狭部３４が設けられており、上記シール部１１は、該巾狭部３４，３４が設けられている部位以外の部位を接着して形成されている。
これにより、１回の開封操作で、包装構造全体が開封されるようになされている。即ち、シール部の開封操作（シール部の引き剥がし、剥離操作など）を１回行えば、生理用ナプキンを包装材から容易に脱離させて使用に供することができるように、なされている。
【００２４】
更に詳述すると、上記生理用ナプキン２及び上記包装材３は、図１、２及び３に示すように、それらの長手方向に、前方部２４，３５、中央部２５，３６及び後方部２６，３７の３つに区分されており、上記巾狭部３４，３４は、上記包装材３における上記後方部３７の左右両側縁部に設けられており、上記生理用ナプキン２と上記包装材３とは、一体に、生理用ナプキン２の肌当接面側に向けて、上記中央部２５，３６上に上記後方部２６，３７、上記前方部２４，３５の順に、折り重ねられており、上記シール部１１は、上記包装材３における、上記前方部３５の左右両側縁部３３ａと上記中央部３６の左右両側縁部３３ｂとを接着させて形成されている。ここで、上記前方部２４，３５、上記中央部２５，３６及び上記後方部２６，３７は、位置関係を明確にするために便宜上用いたものであり、３つ折りにする際に、２つの折曲部２７，２７で区分される３つの領域を、上記タブテープ１２が配されている側を前方部２４，３５とし、次いで、順次中央部２５，３６及び後方部２６，３７としたものである。
【００２５】
図３に示すように、上記包装材３は、全体に上記生理用ナプキン２よりも大きくなしてある。従って、包装材３の一端３１、他端３２及び左右両側縁部３３，３３は、それぞれ、生理用ナプキン２の端縁及び側縁よりも外方に延出するようになされている。
また、上記巾狭部３４，３４は、長方形状の包装材における上記後方部の左右両側縁部を長方形状に切り欠くことにより形成されている。
【００２６】
また、本形態においては、図３及び４に示すように、上記後方部３７の全域において巾狭部３４，３４が設けられておらず、上記後方部３７の左右両側縁部における上記中央部３６側が切り欠かれずに残されている。従って、図１に示すように、この後方部における切り欠かれていない部分も上記シール部１１を形成している。
このような構成とすることにより、上記後方部３７の全域に上記巾狭部３４を設けた場合に比して、開封の操作性をより向上させることができ且つより衛生的に生理用ナプキンを保存することができる。
尚、このような構成とする場合には、上記後方部３７におけるシールされる部分が、生理用ナプキン２を取り出す際における、開封・取り出しという一連の操作に影響を与えないようにする必要がある。このため、上記後方部３７におけるシールされる部分（切り欠かれずに残存する部分）の長さＬは、１〜２０ｍｍとするのが好ましい。
【００２７】
また、本形態の包装構造１は、通常公知の方法により製造した生理用ナプキン２、及び通常公知の方法に従って製造したシートを、常法に従って上述の形状に切り欠くことにより得られた包装材３を用いて、上記生理用ナプキン２の非肌当接面２２と上記包装材３の内面とを当接させた後、図４に示すように該生理用ナプキン２と該包装材３とを一体に且つ上記巾狭部３４が設けられている部位から順次折り畳む折り畳み工程と、折り畳んだ包装材３における上記巾狭部３４が設けられている部位以外の部位を接着して上記シール部１１を形成するシール部形成工程とを行うことにより、製造することができる。
また、上記シール部形成工程において、上記接着は、上記包装材３を融着、圧着又は接着剤により接着させることにより行うのが好ましい。
【００２８】
上記融着は、ヒートシール、超音波によるインパルスシールなどにより行うことができる。
上記圧着は、エンボス加工するなどして行うことができる。
上記接着剤による接着は、ホットメルト接着材を用いるなどして行うことができる。また、この際用いられる接着材としては、スチレン−エチレン−ブタジエン−スチレン共重合体（ＳＥＢＳ）、スチレン−イソプレン−スチレン共重合体（ＳＩＳ）、スチレン−ブタジエン−スチレン共重合体（ＳＢＳ）、スチレン−エチレン−プロピレン−スチレン共重合体（ＳＥＰＳ）等を用いることができる。
【００２９】
本形態の生理用ナプキンの包装構造１は、上記タブテープ１２を上方に（図１の矢印方向に）引き上げて上記前方部３５と上記中央部３６とにより形成されたシール部１１を開封することができ、更に、上記生理用ナプキン２の上記前方部２４をもって包装材３から剥離させる（図４に示す矢印方向に引き剥がす）等して、生理用ナプキン２を取り出して使用することができる。このため、シール部の開封操作は１回のみ行えば良く、開封が容易であり、取り出し操作性に優れたものである。
また、生理用ナプキンの使用後においては、上記包装材３で生理用ナプキン２をくるんで、廃棄することができる。
【００３０】
次いで、図５〜図８を参照して、本発明の吸収性物品の包装構造の第２の形態について説明する。
ここで、図５は、本発明の吸収性物品の包装構造の第２の形態としての生理用ナプキンの包装構造を示す斜視図であり、図６は、図５のVI-VI 断面図である。また、図７は、包装材の内面上に生理用ナプキンの非肌当接面が当接するように載置した状態を示す斜視図であり、図８は、包装材と生理用ナプキンとを一体に４つ折りに折り畳む態様を示す斜視図である。
尚、特に詳述しない点については、上述した第１の形態と同様であり、上述した第１の形態における説明が適宜適用される。
【００３１】
図５〜８に示す本形態の包装構造においては、上記生理用ナプキン２Ａ及び上記包装材３Ａは、それらの長手方向に、前方部２４Ａ，３５Ａ、後方部２５Ａ，３６Ａ、該前方部２４Ａ，３５Ａよりも前方に位置する前方端部２６Ａ，３７Ａ、及び該後方部２５Ａ，３６Ａよりも後方に位置する後方端部２７Ａ，３８Ａの４つに区分されており、上記巾狭部３４Ａ，３４Ａは、上記包装材３Ａにおける上記前方端部３７Ａ及び上記後方端部３８Ａの左右両側縁部に設けられており、上記生理用ナプキン２Ａと上記包装材３Ａとは、一体に、肌当接面２１Ａ側に向け、上記前方部２４Ａ，３５Ａ上に上記前方端部２６Ａ，３７Ａが折り重ねられており且つ上記後方部２５Ａ，３６Ａ上に上記後方端部２７Ａ，３８Ａが折り重ねられており、更に、該前方端部２６Ａ，３７Ａが折り重ねられた該前方部２４Ａ，３５Ａと該後方端部２７Ａ，３８Ａが折り重ねられた該後方部２５Ａ，３６Ａとが重ね合わされており、上記シール部１１Ａは、上記包装材３Ａにおける、上記前方部３５Ａの左右両側縁部３３ａＡと上記後方部３６Ａの左右両側縁部３３ｂＡとを接着させて形成されている。
ここで、上記前方部２４Ａ，３５Ａ、上記後方部２５Ａ，３６Ａ、上記前方端部２６Ａ，３７Ａ、及び上記後方端部２７Ａ，３８Ａは、位置関係を明確にするために便宜上用いたものであり、４つ折りにする際に、３つの折曲部２８Ａ，２８Ａ，２８Ａで区分される３つの領域を、後述する両面テープ１２Ａが配されている側を前方端部２６Ａ，３７Ａとし、次いで、順次前方部２４Ａ，３５Ａ、後方部２５Ａ，３６Ａ及び後方端部２７Ａ，３８Ａとしたものである。
【００３２】
また、本形態の包装構造１Ａにおいては、補助的封止手段として、上記の第１の形態におけるタブテープに代えて、上記前方端部３７Ａにおける外面側に両面テープ１２が貼着されており、これにより上記前方端部３７Ａ及び後方端部３８Ａが該両面テープ１２Ａを介して粘着されて、封止されている。この際用いられる上記両面テープ１２Ａとしては、通常公知のものが特に制限されずに用いられる。尚、上記補助的封止手段は設けなくてもよいが、これを有することにより、密閉性の点でより衛生的となるので好ましい。また、上記両面テープ１２Ａに代えて、ホットメルト等の接着剤を塗布してもよい。
【００３３】
また、本形態においては、図７及び８に示すように、上記前方端部３７Ａ及び上記後方端部３８Ａの全域において巾狭部３４Ａ，３４Ａが設けられておらず、それぞれ、上記前方部３５Ａ側及び上記後方部３６Ａ側が切り欠かれずに残されている。従って、図５に示すように、この前方端部３７Ａ及び後方端部３８Ａにおける切り欠かれていない部分も上記シール部１１Ａを形成している。
このような構成とすることにより、上記前方端部３７Ａ及び上記後方端部３８Ａの全域に上記巾狭部３４Ａを設けた場合に比して、開封の操作性をより向上させることができ且つより衛生的に生理用ナプキン２Ａを保存することができる。
尚、このような構成とする場合には、上記前方端部３７Ａ及び上記後方端部３８Ａにおけるシールされる部分が、生理用ナプキン２Ａを取り出す際における、開封・取り出しという一連の操作に影響を与えないようにする必要がある。このため、上記前方端部３７Ａ及び上記後方端部３８Ａにおけるシールされる部分（切り欠かれずに残存する部分）の長さＬＡは、１〜２０ｍｍとするのが好ましい。
【００３４】
また、本形態の包装構造１Ａは、上述した第１の形態の包装構造と同様に、上記折り畳み工程と上記シール部形成工程とを経て製造することができる。
【００３５】
また、本形態の生理用ナプキンの包装構造１Ａは、上記前方部３５Ａ及び上記後方部３６Ａを、図５の矢印方向に引張って両者を剥離させることにより、上記前方部３５Ａと上記後方部３６Ａとにより形成されたシール部１１Ａを開封し、更に、上記生理用ナプキン２Ａの上記前方部２４Ａ又は上記後方部２５Ａをもって包装材３Ａから剥離させる等して、生理用ナプキン２Ａを取り出すことにより、使用することができる。また、生理用ナプキン２Ａの使用後においては、上記包装材３Ａで生理用ナプキン２Ａをくるんで、廃棄することができる。
【００３６】
次いで、図９〜図１１を参照して、本発明の生理用ナプキンの包装構造の第３の形態について説明する。
ここで、図９は、本発明の吸収性物品の包装構造の第３の形態としての生理用ナプキンの包装構造を示す斜視図であり、図１０は、図９のx-x 断面図であり、図１１は、包装材と生理用ナプキンとを一体に４つ折りにする態様を示す斜視図である。
尚、特に詳述しない点については、上述した第１の形態における説明が適宜適用される。
【００３７】
図９〜１１に示す本形態の包装構造１Ｂにおいては、上記生理用ナプキン２Ｂ及び上記包装材３Ｂは、それらの長手方向に、前方部２４Ｂ，３５Ｂ、後方部２５Ｂ，３６Ｂ、該前方部２４Ｂ，３５Ｂよりも前方に位置する前方端部２６Ｂ，３７Ｂ、及び該後方部２５Ｂ，３６Ｂよりも後方に位置する後方端部２７Ｂ，３８Ｂの４つに区分されており、上記巾狭部３４Ｂは、上記包装材３Ｂにおける上記後方部３６Ｂ及び上記後方端部３８Ｂの左右両側縁部に設けられている。また、上記生理用ナプキン２Ｂと上記包装材３Ｂとは、一体に、肌当接面２１Ｂに向けて、上記後方端部２７Ｂ，３８Ｂを上記後方部２５Ｂ，３６Ｂ上に折り重ね、該後方端部２７Ｂ，３８Ｂが折り重ねられた該後方部２５Ｂ，３６Ｂが上記前方部２４Ｂ，３５Ｂに折り重ねられており、更に該後方部２５Ｂ，３６Ｂが折り重ねられた該前方部２４Ｂ，３５Ｂ上に上記前方端部２６Ｂ，３７Ｂが折り重ねられている。そして、上記シール部１１Ｂは、上記包装材３Ｂにおける、上記前方部３５Ｂの左右両側縁部３３ａＢと上記前方端部３６Ｂの左右両側縁部３３ｂＢとを接着させて形成されている。
【００３８】
また、上記包装材３Ｂにおける上記前方端部３７Ｂの端縁、即ち一端縁３１Ｂには、補助的封止手段としてタブテープ１２Ｂが配されており、該タブテープ１２Ｂにより上記一端縁３１Ｂが封止されている。
【００３９】
ここで、上記前方部２４Ｂ，３５Ｂ、上記後方部２５Ｂ，３６Ｂ、上記前方端部２６Ｂ，３７Ｂ、及び上記後方端部２７Ｂ，３８Ｂは、位置関係を明確にするために便宜上用いたものであり、４つ折りにする際に、３つの折曲部で区分される３つの領域を、上記タブテープが配されている側を前方端部とし、次いで、順次前方部、後方部及び後方端部としたものである。
【００４０】
また、本形態においては、図７及び８に示すように、上記後方部３６Ｂの全域において巾狭部３４Ｂが設けられておらず、上記前方部３５Ｂ側が切り欠かれずに残されている。従って、図９に示すように、この後方部３６Ｂにおける切り欠かれていない部分も上記シール部１１Ｂを形成している。
このような構成とすることにより、上記後方部３６Ｂの全域に上記巾狭部３４Ｂを設けた場合に比して、開封の操作性をより向上させることができ且つより衛生的に生理用ナプキン２Ｂを保存することができる。
尚、このような構成とする場合には、上記後方部３６Ｂにおけるシールされる部分が、生理用ナプキン２Ｂを取り出す際における、開封・取り出しという一連の操作に影響を与えないようにする必要がある。このため、上記後方部３６Ｂにおけるシールされる部分（切り欠かれずに残存する部分）の長さＬＢは、１〜３０ｍｍとするのが好ましい。
【００４１】
また、本形態においては、図７及び８に示すように、上記後方部３６Ｂの全域において巾狭部３４Ｂが設けられておらず、上記前方部３５Ｂ側が切り欠かれずに残されている。従って、図９に示すように、この後方部３６Ｂにおける切り欠かれていない部分も上記シール部１１Ｂを形成している。
このような構成とすることにより、上記後方部３６Ｂの全域に上記巾狭部３４Ｂを設けた場合に比して、開封の操作性をより向上させることができ且つより衛生的に生理用ナプキン２Ｂを保存することができる。
尚、このような構成とする場合には、上記後方部３６Ｂにおけるシールされる部分が、生理用ナプキン２Ｂを取り出す際における、開封・取り出しという一連の操作に影響を与えないようにする必要がある。このため、上記後方部３６Ｂにおけるシールされる部分（切り欠かれずに残存する部分）の長さＬＢは、１〜３０ｍｍとするのが好ましい。
【００４２】
また、本形態の包装構造１Ｂは、上述した第１の形態の包装構造と同様に、上記折り畳み工程と上記シール部形成工程とを経て製造することができる。
【００４３】
また、本形態の生理用ナプキンの包装構造１Ｂは、上述した第１の形態の包装構造と略同様にして使用に供することができる。
本形態の包装構造１Ｂは、就寝時用の生理用ナプキン等、製品長の長い吸収性物品に適したものである。
【００４４】
次いで、図１２〜図１５を参照して、本発明の生理用ナプキンの包装構造の第４の形態について説明する。
ここで、図１２は、本発明の吸収性物品の包装構造の第４の形態としての生理用ナプキンの包装構造を示す斜視図であり、図１３は、図１０のXIII-XIII 断面図であり、図１４は、生理用ナプキンを、その非肌当接面が包装材３の内面に当接するように該包装材上に載置した態様を示す斜視図であり、図１５は、包装材と生理用ナプキンとを一体に２つ折りにした後、ロール状に巻き込む態様を示す斜視図である。
尚、特に詳述しない点については、上述した第１の形態における説明が適宜適用される。
【００４５】
図１２〜１５に示す本形態の生理用ナプキン２Ｃの包装構造１Ｃは、上記生理用ナプキン２Ｃ及び上記包装材３Ｃが、包装構造１Ｃの外周面を形成する外周面形成部２４Ｃ，３５Ｃと、内部に巻き込まれる巻き込み部２５Ｃ，３６Ｃとに区分されており、上記巾狭部３４Ｃ，３４Ｃは、上記巻き込み部３６Ｃの左右両側縁部に設けられており、上記生理用ナプキン２Ｃと上記包装材３Ｃとは、一体に、肌当接面２１Ｃ側に向けて、上記巻き込み部３６Ｃにおいてロール状に巻き込まれており、上記シール部１１Ｃは、上記包装材３Ｃにおける上記外周面形成部３５Ｃの左右両側縁部３３ａＣを、それぞれ２つ折りにして接着させて形成されている。
【００４６】
また、本形態においては、図１４に示すように、折曲部２８Ｃで外周面形成部２４Ｃ，３５Ｃと巻き込み部２５Ｃ，３６Ｃとが区分されており、該巻き込み部３６Ｃの全域において巾狭部３４Ｃが設けられておらず、上記外周面形成部３５Ｃ側が切り欠かれずに残されている。従って、図１２に示すように、この後方部３６Ｃにおける切り欠かれていない部分も上記シール部１１Ｃを形成している。
このような構成とすることにより、開封の操作性をより向上させることができ且つより衛生的に生理用ナプキン２Ｃを保存することができる。
尚、このような構成とする場合には、上記巻き込み部３６Ｃにおけるシールされる部分が、生理用ナプキン２Ｃを取り出す際における、開封・取り出しという一連の操作に影響を与えないようにする必要がある。このため、上記後方部３６Ｃにおけるシールされる部分（切り欠かれずに残存する部分）の長さＬＣは、１〜２０ｍｍとするのが好ましい。
【００４７】
また、上記生理用ナプキン２Ｃと上記包装材３Ｃとは、図１５に示すように、それらを長手方向に略２等分し且つ上記巻き込み部２５Ｃ，３６Ｃに位置する折曲部２６Ｃにて２つ折りに折り重ねられた後、該折曲部２６Ｃからロール状に巻き込まれている。
そして、上記包装材３における外周面形成部３５Ｃの端縁には、補助的封止手段としてのタブテープ１２Ｃが設けられており、該タブテープ１２Ｃにより一端縁３１Ｃが封止されている。
【００４８】
本形態の生理用ナプキン２の包装構造１Ｃは、上記タブテープ１２Ｃを引き上げて上記シール部１１Ｃを開封して、ロール状に巻き込まれた状態を解放することにより、上記の第１の形態と同様にして生理用ナプキン２Ｃを包装材３Ｃから容易に剥離させて生理用ナプキン２Ｃを使用し、さらに生理用ナプキン２Ｃの廃棄時には該包装材３Ｃで生理用ナプキン２Ｃをくるんで廃棄処理することができる。
【００４９】
次いで、図１６及び１７を参照して、本発明の生理用ナプキンの包装構造の他の形態について説明する。
ここで、図１６は、本発明の吸収性物品の包装構造の第５の形態としての生理用ナプキンの包装構造の幅方向断面図（図１３相当図）であり、図１７は包装材と吸収性物品とを一体に巻き込む態様を示す斜視図である。
尚、特に詳述しない点については、上述した図１〜８に示す形態における説明が適宜適用される。
【００５０】
本形態の生理用ナプキンの包装構造１Ｄは、上記生理用ナプキン２Ｄ及び上記包装材３Ｄが、包装構造１Ｄの外周面を形成する外周面形成部２４Ｄ，３５Ｄと、内部に巻き込まれる巻き込み部２５Ｄ，３６Ｄとに区分されており、上記巾狭部３４Ｄは、上記巻き込み部３６Ｄの左右両側縁部に設けられており、上記生理用ナプキン２Ｄと上記包装材３Ｄとは、一体に、肌当接面側に向けて、上記巻き込み部２５Ｄ，３６Ｄからロール状に巻き込まれており、上記シール部１１は、上記包装材３Ｄにおける上記外周面形成部３５Ｄの左右両側縁部３３ａＤを、それぞれ２つ折りにして接着させて形成されている。
そして、本形態においては、図１６及び１７に示すように、上記生理用ナプキン２Ｄと上記包装材３Ｄとは、上記巻き込み部２５Ｄ，３６Ｄ側の端部（他端部３２Ｄ）からロール状に巻き込まれている。
この他の形態及び使用方法などは、上述した第４の形態と同じである。
【００５１】
上記の第４及び第５の包装構造１Ｃ、１Ｄは、それぞれコンパクトに包装したい場合に有用なものである。
【００５２】
尚、本発明の吸収性物品の包装構造は、上述した形態には何ら限定されるものではなく、本発明の趣旨を逸脱しない範囲で種々変更可能である。
例えば、上記巾狭部の形状は、長方形状とする必要はなく、円弧状など種々の形状とすることができる。また、上記巾狭部は、左右対称とする必要もない。
更に、上記巾狭部は、切り欠くことにより形成せずに、包装材を楕円状形状としたり、包装材の一端側の両側縁を斜めに切断して包装材全体として５角形状にするなどして形成してもよい。
【００５３】
【発明の効果】
本発明の吸収性物品の包装構造は、開封が容易で取り出し容易性に優れたものである。
【図面の簡単な説明】
【図１】図１は、本発明の第１の形態の生理用ナプキンの包装構造を示す斜視図である。
【図２】図２は、図１のII-II 断面図である。
【図３】図３は、包装材上に生理用ナプキンを載置した状態を示す斜視図である。
【図４】図４は、包装材と生理用ナプキンとを一体に折り込む状態を示す斜視図である。
【図５】図５は、本発明の吸収性物品の包装構造の第２の形態としての生理用ナプキンの包装構造を示す斜視図である。
【図６】図６は、図５のVI-VI 断面図である。
【図７】図７は、包装材の内面上に生理用ナプキンの非肌当接面が当接するように載置した状態を示す斜視図である。
【図８】図８は、包装材と生理用ナプキンとを一体に４つ折りに折り畳む態様を示す斜視図である。
【図９】図９は、本発明の吸収性物品の包装構造の第３の形態としての生理用ナプキンの包装構造を示す斜視図である。
【図１０】図１０は、図９のx-x 断面図である。
【図１１】図１１は、包装材と生理用ナプキンとを一体に４つ折りにする態様を示す斜視図である。
【図１２】図１２は、本発明の吸収性物品の包装構造の第４の形態としての生理用ナプキンの包装構造を示す斜視図である。
【図１３】図１３は、図１０のXIII-XIII 断面図である。
【図１４】図１４は、生理用ナプキンを、その非肌当接面が包装材３の内面に当接するように該包装材上に載置した態様を示す斜視図である。
【図１５】図１５は、包装材と生理用ナプキンとを一体に２つ折りにした後、ロール状に巻き込む態様を示す斜視図である。
【図１６】図１６は、本発明の吸収性物品の包装構造の第５の形態としての生理用ナプキンの包装構造の幅方向断面図（図１３相当図）である。
【図１７】図１７は、包装材と吸収性物品とを一体に巻き込む態様を示す斜視図である。
【図１８】図１８は、従来のナプキンの包装構造を示す斜視図である。
【符号の説明】
１      包装構造
１１    シール部
１２    タブテープ
２      生理用ナプキン
２１    肌当接面
２２    非肌当接面
２３    粘着部
２４    前方部
２５    中央部
２６    後方部
３      包装材
３１    一端
３２    他端
３３    側縁部
３４    巾狭部
３５    前方部
３６    中央部
３７    後方部
【図１】
0003737202.tif 000002
【図２】
0003737202.tif 000003
【図３】
0003737202.tif 000004
【図４】
0003737202.tif 000005
【図５】
0003737202.tif 000006
【図６】
0003737202.tif 000007
【図７】
0003737202.tif 000008
【図８】
0003737202.tif 000009
【図９】
0003737202.tif 000010
【図１０】
0003737202.tif 000011
【図１１】
0003737202.tif 000012
【図１２】
0003737202.tif 000013
【図１３】
0003737202.tif 000014
【図１４】
0003737202.tif 000015
【図１５】
0003737202.tif 000016
【図１６】
0003737202.tif 000017
【図１７】
0003737202.tif 000018
【図１８】
0003737202.tif 000019